(57)【特許請求の範囲】
【請求項１】
培地を充填した一対の栽培槽４，４と、
該一対の栽培槽４，４を両端に吊り下げ支持する所定長さの吊り下げ索５と、該吊り下げ索５を、該吊り下げ索５のほぼ中央部で巻き付け、かつ回転させることで吊り下げ索５の両端に接続した一対の栽培槽４，４の地上からの高さを相互に逆向きに変更可能に支持して各栽培槽４，４の吊り下げ長さを調整する駆動軸７と、該駆動軸７の両側に並列配置され、かつ各吊り下げ索５の両端の栽培槽４，４を吊り下げながら前記栽培槽４，４の荷重を支持する一対の支持金具６，６とからなる吊り下げ手段Ｂとを設け、
前記一対の栽培槽４，４と吊り下げ手段Ｂとの組み合わせからなる栽培手段Ａを一ユニットとし、
各吊り下げ手段Ｂの駆動軸７は、全ての栽培手段Ａ・・・が共有する単一の駆動軸７からなり、
該駆動軸７の長手方向に直交する方向である幅方向に複数のユニットの栽培手段Ａ・・・を並列配置し、前記幅方向の複数個の栽培手段Ａ・・・の中で駆動軸７に対して同じ側にある隣接するユニットの二つの栽培手段Ａ，Ａの各栽培槽４，４が駆動軸７の回転により各支持金具６，６の下方で互いに反対方向に上下するように各吊り下げ索５，５により吊り下げる
ことを特徴とする温室用の植物栽培装置。
【請求項２】
駆動軸７の長手方向に配置される各栽培手段Ａ・・・の栽培槽４・・・には、栽培槽４・・・を貫通した無孔管及び／又は多孔管を配置し、該無孔管及び／又は多孔管には温水供給設備及び肥料液供給設備から温水及び肥料液を供給できる供給量調整弁付きの配管を接続したことを特徴とする請求項１記載の温室用の植物栽培装置。
【請求項３】
培地を充填した一対の栽培槽４，４と、
該一対の栽培槽４，４を両端に吊り下げ支持する所定長さの吊り下げ索５と、該吊り下げ索５を、該吊り下げ索５のほぼ中央部で巻き付け、かつ回転させることで吊り下げ索５の両端に接続した一対の栽培槽４，４の地上からの高さを相互に逆向きに変更可能に支持して各栽培槽４，４の吊り下げ長さを調整する駆動軸７と、該駆動軸７の両側に並列配置され、かつ各吊り下げ索５の両端の栽培槽４，４を吊り下げながら前記栽培槽４，４の荷重を支持する一対の支持金具６，６とからなる吊り下げ手段Ｂとを設け、
前記一対の栽培槽４，４と吊り下げ手段Ｂとの組み合わせからなる栽培手段Ａを一ユニットとし、
該駆動軸７の長手方向に直交する方向である幅方向に複数のユニットの栽培手段Ａ・・・を並列配置し、
各吊り下げ手段Ｂの駆動軸７は、隣接するユニットの栽培手段Ａ，Ａをそれぞれ別々に吊り下げ駆動するほぼ上下方向に隣接して配置される二本の駆動軸７ａ又は７ｂからなり、
前記幅方向の複数個のユニットの栽培手段Ａ・・・の中で前記二本の駆動軸７ａ，７ｂに対して同じ側にある隣接ユニットの二つの栽培手段Ａ，Ａの各栽培槽４，４がそれぞれ別々の駆動軸７ａ又は７ｂの回転により隣接ユニットの二つの栽培手段Ａ，Ａの二本ずつ密接位置に配置される各支持金具６，６を介してそれぞれ別々に、しかも互いに反対方向に上下するように各吊り下げ索５，５により吊り下げられ、かつ隣接ユニットの二つの栽培手段Ａ，Ａの前記各栽培槽４，４は互いの間隔を確保するスペーサ２５で連結されている
ことを特徴とする温室用の植物栽培装置。
【請求項４】
駆動軸７の長手方向に配置される各栽培手段Ａ・・・の栽培槽４・・・には、栽培槽４・・・を貫通した無孔管及び／又は多孔管を配置し、該無孔管及び／又は多孔管には温水供給設備及び肥料液供給設備から温水及び肥料液を供給できる供給量調整弁付きの配管を接続したことを特徴とする請求項３記載の温室用の植物栽培装置。
【発明の詳細な説明】
【技術分野】
【０００１】
本発明は、培地が充填された複数の栽培槽を温室内に吊り下げて設置し、植物を栽培する植物栽培装置に関する。
【背景技術】
【０００２】
イチゴや花等の植物栽培装置で収穫量を上げるには品種改良による多収量品種にする事や栽培方法の改良に加え、限られた栽培用地により多くの苗を如何に植えつけるかが大きな要素である。
【０００３】
特に温室栽培においては経済性を維持しながら、作業空間を確保して苗列数を如何に増加させるかがひとつの技術的課題であった。
【０００４】
この技術課題に対する解決策として、多数の栽培槽を索により吊り下げ支持した植物栽培装置にあっては、作業者の通る作業通路や作業用空間を確保するにあたって、栽培槽を横又は上下に移動させていた。二つの栽培槽を滑車の両側に吊り下げた構造（例えば、特許文献1参照。）や、図９に示すごとく、天秤棒の両端に吊り下げた構造（例えば、特許文献1参照。）で栽培槽を上下に移動させる構造を備えた装置であった。
【０００５】
或いは、図１０に示すごとく、吊り下げた栽培槽の索を横方向に移動させ、栽培槽間に作業空間を確保する構造（例えば、特許文献２参照。）を備えた装置であった。
【０００６】
【特許文献１】特開２０００−１４２５０号公報  （第５−７頁、図１、図４）
【特許文献１】特開２００１−２３１３７４号公報  （第４頁、図４）
【０００７】
これらは前者の天秤棒方式では大きな上下移動をさせるには長い天秤棒が必要となって天秤棒と栽培槽の干渉から高さ及び幅方向に無駄な空間が生じて単位面積あたりの栽培密度の改善は小さかった。更に天秤棒や滑車方式共に左右の質量差を許容する固定装置がそれぞれに必要であり、全体的に構造が複雑となり、経済性がなくなる上に操作が複雑であった。
【０００８】
また、後者の固定索吊下げ方式では固定索であり栽培槽の質量差の課題は解決されているが、栽培槽の横移動の為の空間が必要であり、高密度栽培が出来ないという欠点があった。
【０００９】
温室という高価な資本が必要な温室栽培において、この欠点は経済性の上で大きな障害である。具体的には、温室栽培では露地栽培に比べて収穫時期をずらす、或いは味を良くする等の高付加価値のみで投資資本を回収するには経済的に不利で、温室への設備投資を抑えかつ収率を上げる方策が必要であった。
【発明の開示】
【発明が解決しようとする課題】
【００１０】
この改善策として、比較的広い範囲にわたって、隣り合う栽培槽を交互に上下移動をさせ、栽培槽間に作業用空間を作り出すと共に、停止時には対となる栽培槽の質量差による望まれない移動の防止とを簡単な構造にて達成し、従来技術の問題点を解決しようとするものである。
【課題を解決するための手段】
【００１１】
本発明の上記目的は次の各請求項記載の構成によって達成される。
請求項１記載の発明は、培地を充填した一対の栽培槽４，４と、該一対の栽培槽４，４を両端に吊り下げ支持する所定長さの吊り下げ索５と、該吊り下げ索５を、該吊り下げ索５のほぼ中央部で巻き付け、かつ回転させることで吊り下げ索５の両端に接続した一対の栽培槽４，４の地上からの高さを相互に逆向きに変更可能に支持して各栽培槽４，４の吊り下げ長さを調整する駆動軸７と、該駆動軸７の両側に並列配置され、かつ各吊り下げ索５の両端の栽培槽４，４を吊り下げながら前記栽培槽４，４の荷重を支持する一対の支持金具６，６とからなる吊り下げ手段Ｂとを設け、前記一対の栽培槽４，４と吊り下げ手段Ｂとの組み合わせからなる栽培手段Ａを一ユニットとし、各吊り下げ手段Ｂの駆動軸７は、全ての栽培手段Ａ・・・が共有する単一の駆動軸７からなり、該駆動軸７の長手方向に直交する方向である幅方向に複数のユニットの栽培手段Ａ・・・を並列配置し、前記幅方向の複数個の栽培手段Ａ・・・の中で駆動軸７に対して同じ側にある隣接するユニットの二つの栽培手段Ａ，Ａの各栽培槽４，４が駆動軸７の回転により各支持金具６，６の下方で互いに反対方向に上下するように各吊り下げ索５，５により吊り下げる温室用の植物栽培装置である。
【００１２】
請求項２記載の発明は、駆動軸７の長手方向に配置される各栽培手段Ａ・・・の栽培槽４・・・には、栽培槽４・・・を貫通した無孔管及び／又は多孔管を配置し、該無孔管及び／又は多孔管には温水供給設備及び肥料液供給設備から温水及び肥料液を供給できる供給量調整弁付きの配管を接続した請求項１記載の温室用の植物栽培装置である。
【００１３】
請求項３記載の発明は、培地を充填した一対の栽培槽４，４と、該一対の栽培槽４，４を両端に吊り下げ支持する所定長さの吊り下げ索５と、該吊り下げ索５を、該吊り下げ索５のほぼ中央部で巻き付け、かつ回転させることで吊り下げ索５の両端に接続した一対の栽培槽４，４の地上からの高さを相互に逆向きに変更可能に支持して各栽培槽４，４の吊り下げ長さを調整する駆動軸７と、該駆動軸７の両側に並列配置され、かつ各吊り下げ索５の両端の栽培槽４，４を吊り下げながら前記栽培槽４，４の荷重を支持する一対の支持金具６，６とからなる吊り下げ手段Ｂとを設け、前記一対の栽培槽４，４と吊り下げ手段Ｂとの組み合わせからなる栽培手段Ａを一ユニットとし、該駆動軸７の長手方向に直交する方向である幅方向に複数のユニットの栽培手段Ａ・・・を並列配置し、各吊り下げ手段Ｂの駆動軸７は、隣接するユニットの栽培手段Ａ，Ａをそれぞれ別々に吊り下げ駆動するほぼ上下方向に隣接して配置される二本の駆動軸７ａ又は７ｂからなり、前記幅方向の複数個のユニットの栽培手段Ａ・・・の中で前記二本の駆動軸７ａ，７ｂに対して同じ側にある隣接ユニットの二つの栽培手段Ａ，Ａの前記各栽培槽４，４がそれぞれ別々の駆動軸７ａ又は７ｂの回転により隣接ユニットの二つの栽培手段Ａ，Ａの二本ずつ密接位置に配置される各支持金具６，６を介してそれぞれ別々に、しかも互いに反対方向に上下するように各吊り下げ索５，５により吊り下げられ、かつ隣接ユニットの二つの栽培手段Ａ，Ａの各栽培槽４，４は互いの間隔を確保するスペーサ２５で連結されている温室用の植物栽培装置である。
【００１４】
請求項４記載の発明は、駆動軸７の長手方向に配置される各栽培手段Ａ・・・の栽培槽４・・・には、栽培槽４・・・を貫通した無孔管及び／又は多孔管を配置し、該無孔管及び／又は多孔管には温水供給設備及び肥料液供給設備から温水及び肥料液を供給できる供給量調整弁付きの配管を接続した請求項３記載の温室用の植物栽培装置である。
【発明の効果】
【００１５】
請求項１記載の発明によれば、一対の栽培槽４，４を連結する一つの吊下げ索５の途中にて単一の駆動軸７に巻くことにより駆動軸７の回転によって栽培槽４，４を上下できるようにしたことにより、高密度に配置された多数の栽培槽４・・・を簡単な構造、単純な操作で上下させることが出来、農作業が容易な位置に下ろせ、同時に栽培槽４・・・間に農作業空間を作り出すことが出来る。
【００１６】
請求項３記載の発明によれば、幅方向の複数個のユニットの栽培手段Ａ・・・の中で前記二本の駆動軸７ａ，７ｂだけで、該駆動軸７ａ，７ｂに対して同じ側にある隣接ユニットの二つの栽培手段Ａ，Ａの各栽培槽４，４がそれぞれ別々の駆動軸７ａ又は７ｂの回転により隣接ユニットの二つの栽培手段Ａ，Ａの二本ずつ密接位置に配置される各支持金具６，６を介してそれぞれ別々に、しかも互いに反対方向に上下するように各吊り下げ索５，５により吊り下げられ、かつ隣接ユニットの二つの栽培手段Ａ，Ａの各栽培槽４，４は互いの間隔を確保するスペーサ２５で連結されているので請求項１記載の発明に比べてより密度高く、しかも作業性を確保したまま農作業ができる。
【００１７】
請求項２、４記載の発明によれば、それぞれ請求項１、３記載の発明の効果に加えて、栽培槽４・・・を貫通した無孔管及び／又は多孔管を配置し、該無孔管及び／又は多孔管には温水供給設備及び肥料液供給設備から温水及び肥料液を供給できる供給量調整弁付きの配管を接続したので、暖房時、根株周りと葉周りの温度を変え、根株周りのみを暖房する結果、暖房設備が簡略化でき、経済的な設備が出来る。
更に、栽培槽を暖房する結果、空間温度が低くなり、かつ、高設栽培槽以上の空間のみ昇温となるために温室からの放散損失が低減でき、省エネルギーの温室栽培が出来る。
【実施例１】
【００１８】
以下、本発明の実施形態に係る植物栽培装置を図面に基づいて説明する。
【００１９】
図１は本発明の実施の形態に係る植物栽培装置の横断面図、図２は図１のＡ−Ａ線縦断面図、図３は本発明の実施の形態に係る作業時の栽培槽の位置関係を示す一部拡大図、図４は本発明の実施の形態に係る駆動軸への吊り下げ索の巻きつけ状態を示す正面図及び側面図、図５は本発明の実施の形態に係る配管の概略系統図、図６は本発明の実施の形態に係る栽培槽内の配管を示す拡大図を示す。
【００２０】
図１から図６において、符号１は屋根、２は柱、３は梁で屋根１、柱２および梁３によって温室２４が形成されている。４は温室２４内に配置された栽培槽、５は栽培槽４を吊り下げる吊り下げ索、６は吊下げ索５の荷重を支持し梁３に伝達する金具、７は吊下げ索５を巻きつけて栽培槽４を上下させる駆動軸、８は駆動軸7を支持する軸サポート、９は駆動軸７へ回転トルクを伝えるスプロケット、１０はスプロケット９を回転させる動力を伝えるチェーン、１１は栽培槽に肥料液、温湯等を供給する多孔管、１２は栽培槽内部を温湯等で暖房する無孔管、１３は温湯ヒーターへの給水タンク、14は各機器を連絡する配管、１５は温湯ヒーターへ水を供給する給水ポンプ、１６は暖房用温湯を発生する温湯ヒーター、１７は配管内流体の流れによって肥料液を吸い上げる肥料吸引装置、１８は液肥料の濃度調整を行う肥料液調整タンク、１９は配管内流れを切り替える弁、２０は配管14を経由して栽培槽４に空気を送るファン、２１は固定された配管１４と移動する栽培槽部の管１１,１２を繋ぐフレキシブル管、２２は暖房用温湯、残肥料液などの戻り配管、２３は各管を繋ぎ、所定の長さにする継ぎ手、２４は屋根１、柱２、梁３にて構成されている温室を示す。
【００２１】
図1では温室24の幅方向に栽培槽４が１２列、駆動軸７が1本の場合を示しているが、図１の左側から右側へ向かって栽培槽４を説明の都合上、ここでは栽培槽４a,４b、４c、４d、４e、４f、４g、４h、４i、４ｊ、４ｋ、４ｌとし、栽培槽４aと栽培槽４hを結ぶ吊り下げ索５を吊り下げ索5a-h、同様に４ｂと４iを結ぶ吊り下げ索を５b-i、４cと４jを結ぶ索を５c-j、４dと４kを結ぶ索を５d-k、４eと４lを結ぶ索を５e-ｌ、４fと４gを結ぶ索を５f-gと呼ぶこととする。
【００２２】
この様に吊り下げ索５a-h、５b-i、５c-j、５d-k、５e-l、５f-gは図２に示す様に荷重支持金具６に支持された駆動軸７に図４に示すように時計方向、反時計方向にまきつけられている。
【００２３】
例えば、図4に示す様に吊り下げ索５a-h、５c-j、５e-lは駆動軸７の外周に時計方向に巻きつけられ、他方、吊り下げ索５b-i、５d-k、５f-gは駆動軸７の外周に反時計方向にまきつけられている。
【００２４】
従って、図４に示す駆動軸７を時計方向に回転させれば、時計方向に巻きつけられた吊り下げ索５a-h、５c-j、５e-lは図１の駆動軸７より左側では巻き上げられ、駆動軸７より右側では巻き下げられる。
【００２５】
つまり、吊り下げ索５a-h、５c-j、５e-lに吊り下げられた栽培槽４a、４ｃ、４eは図３に示されるように吊り上げられ、栽培槽４h、４j、４lは吊り下げられる事は容易に理解されよう。
【００２６】
他方、図４に示す吊り下げ索５b-i、5d-k、５f-gは駆動軸７に反時計方向に巻きつけられているので、図４に示す駆動軸７を時計方向に回転させれば、吊下げ索５b-i、５d-k、５f-gは図１の駆動軸７より左側では巻き下げられ、駆動軸７より右側では巻き上げられる。
【００２７】
つまり、吊下げ索５b-i、５d-k、５f-gに吊り下げられた栽培槽４b、４d、４fは図３に示されるように吊り下げられ、栽培槽４i、４k、４gは吊り上げられる事は容易に理解されよう。
【００２８】
この結果、隣り合う栽培槽４aと４b、４ｃと４ｄ、４eと４f、４ｇと４h、４iと４j、４kと４lの吊り下げ索５a-hと５b-i、５ｃ−ｊと５d-k、５e-lと５f-gの巻き方向が逆に巻かれていることにより、隣り合う栽培槽、たとえば栽培槽４aと栽培槽４bはお互いに反対方向に上下する。その結果、栽培槽４aと栽培槽４cの間には栽培槽４bの幅分の空間が出来、作業空間を作ることが出来る。
【００２９】
図２に示すごとく、駆動軸7にはスプロケット９とチェーン１０が取り付けられ、チェーン１０の操作により駆動軸7を回転させる事が出来る。尚、操作が不要な時、チェーン１０は図示していないフックに掛けられて、栽培槽４の重量差による駆動軸７の回転を防止している。
【００３０】
スプロケット９とチェーン１０の替わりに減速モーターと制御装置による自動運転とする事も出来る。
【００３１】
各栽培槽４a〜４lには無孔管１１、多孔間２の両方又は多孔管１２のみが、又は槽内に無孔管１１と槽上に多孔管１２が栽培槽４a〜４lの長手に沿って配置されている。図５に示すごとく、栽培槽４a〜４lを長手方向に分割する場合には無孔管１１、多孔管１２もフランジなどの継ぎ手２３にて連結する。多孔管１１、無孔管１２には弁１９aを経由してフレキシブル管２１が接続されている。温室内には給水タンク１３、給水ポンプ15、温湯ヒーター１６が設置され、配管14にてフレキシブル管２１を経由して栽培槽４a〜４lの多孔管１１、無孔管１２に接続されている。又、肥料液調整タンク１８、肥料吸引装置１７が恩湯配管４に接続されており、弁１９aの切り替えにて肥料吸引装置１７をバイパスできる配管となっている。栽培槽４a〜４lに供給されて余剰となった肥料液及び温湯は戻り配管２２a、２２b、切り替え弁１９aを経由して給水タンク１３、肥料液調整タンク１８へ回収される。
【００３２】
この様に各栽培槽４a〜４lへの農作業がない時や無孔管１２による暖房、多孔管１１による給肥時には全ての栽培槽４a〜４lは図３に示す非作業時位置に吊り下げられている。栽培槽４a、４c、４e、４g、４i、４kの消毒時或いは摘果時などの作業時にはチェーン１０及びスプロケット９にて駆動軸７を反時計方向に回転させることによって、栽培槽４a、４c、4e、４ｇ、４i、４kを作業時位置に下げ、４b、４d、４f、４h、４j、４lを上げて作業する。栽培槽４a、４c、４e、４g、４i、４kの作業が終了した後、駆動軸７を逆回転すれば、栽培槽４a、４c、４e、４g、４i、４kが上昇し、逆に今まで高い位置にあった栽培槽４b、４d、４f、４h、４j、４lが下降して農作業が可能な状態となる。即ち、栽培槽４の上昇、下降を吊り下げ索５、荷重支持金具６、駆動軸７、及び駆動装置であるスプロケット９，チェーン１０のみの極めて簡単な構造で達成でき、かつ、１２列の栽培槽群を１回の操作で上下動させ、半数の栽培槽を農作業時位置に下ろし、残りの栽培槽を上げて栽培槽間に作業空間を作り、次の操作で上下した栽培槽を逆にすることで全ての栽培槽の農作業が可能となる。作業が終わった後、１回の操作で非農作業位置に戻し、育成することが出来る。
【００３３】
回転させる際の必要な力は吊り下げ索５の両端の栽培槽、例えば栽培槽４aと栽培槽４hの質量差分と吊り下げ索５が荷重支持金具６を通過する際の摩擦荷重のみでよく、栽培槽４a、４h自身のほとんどの質量は両方でバランスする形となる。栽培槽４a、４hの質量差は駆動軸７の片側に配置された栽培槽のみ重たくなることは稀で、栽培槽４a〜４lの様に複数置くことにより駆動軸７への質量差は均等化される。荷重支持金具６の摩擦も例えば滑車を用いることで軽減でき、更にスプロケット９と駆動軸７の直径差で力を軽減できるので、チェーン１０を引く力は小さくてよい。
【００３４】
尚、左右の栽培槽、例えば栽培槽４aと栽培槽４hの質量差で吊り下げ索５a-hが滑ることは、駆動軸７へ吊り下げ索５a-hを巻き付けることにより防止している。なぜなら、摩擦係数は通常０．３程度以上あり、この場合の摩擦荷重は吊り下げ索５a-hの張力、即ち、栽培槽４a、４hの質量となる。通常の栽培槽４a、４hの質量差を質量X摩擦係数以下にすることは容易で、吊り下げ索５a-hの滑りによる栽培槽４a、４hの勝手な移動は生じない。但し、駆動軸７より左側の栽培槽群と右側の栽培槽群の質量差があり、荷重支持金具６の合計摩擦力より大きい場合には全体が勝手な上下移動をする可能性があるので駆動軸７には回転防止の為の装置が必要である。本発明においては図示していないがチェーン１０に止め装置をつけることで駆動軸７の望まない回転を簡単に止めることが出来る。
【００３５】
この様に、吊下げ索５a-h、５c-j、５e-lと吊下げ索５b-i、５d-k、５f-gは互いに吊り上げられたり、吊下げられる動作を繰り返すので、図３に示す様に吊り上げられた栽培槽４a、４cの下側に空間ができ、吊下げられた栽培槽４b、４dの農作業用の空間、通路として利用できる。
【００３６】
栽培槽４内には図３、図６に示す様に無孔管１１と多孔管１２の両方が配置されたもの、或いは図5に示す多孔管１２のみ配置されたもの、或いは無孔管11のみで多孔管１２は栽培槽上に配置されたものがある。暖房時刻と肥料供給時刻が重なる植物においては無孔管１１と多孔管１２の両配管が図３及び図６に示すように栽培槽４に配置され、重ならない植物で多湿条件を許容する植物の場合には多孔管１２のみが図５に示すように配管され、暖房時刻と肥料供給時刻が重ならない植物に対してはこの多孔間１２が暖房と肥料供給の両方を兼ねる。多孔管１２の孔から栽培槽４に直接供給された温湯の循環戻り湯及び肥料液の余剰分は戻り配管２２a、２２bを経由して給水タンク１３、肥料液調整タンク１８に回収される。暖房用無孔管１１を用いた場合には栽培槽４の他端を出た後に戻り配管２２bに接続されて循環使用される。
【００３７】
この様に、栽培槽４内に温湯を流す事により、植物の根株部を暖房する事となり、根株部より温度の低い温室空気に放熱し、低温温室空気より温室外に熱放散する形となるので、従来の温室空気そのものを暖房する方式に比べて少ない暖房エネルギーとなる。
【００３８】
温湯にて暖房された栽培槽４a〜４lから放散する熱は栽培槽の回りの空間温度を上昇させる。栽培槽４a〜４lが高所に配置されたことにより、栽培槽４a〜４lより下方の室内空気温度は育成温度より低下してもよく、その分温室２４からの放散損失も少なくなる。又、一般的に植物の必要とする葉周りの温度は根周りより低くてよい。栽培槽４a〜４lの内部加熱により根株周りを昇温させることにより葉周り及び栽培槽４a〜４lより上部の空気温度も上昇するが、この効果は栽培槽４が密集すればするほど大きくなる。本発明装置における如く、栽培槽４a〜４l間の空隙がほぼ不要な密集栽培では、根回りの必要温度が２０℃、葉周りが１０℃程度の場合、外気温度がー５℃においても栽培槽４a〜４lの暖房のみで栽培槽群より上部の温室温度を葉の必要温度に保つことが出来る。即ち、本発明おいては栽培槽温度を必要温度にして、葉周り空間温度を低く管理でき、温室壁からの放散熱損失を低減できる。
【００３９】
温湯配管１４には切替弁１９bを経由してファン２０が接続されている。多孔管１２にて温湯を直接供給して暖房した場合、温湯の自然落下時間より短い時間で根周りの液を空気と置換して根への酸素供給をする必要がある植物に対しては弁操作により配管ルートを切替えて、ファン２０にて空気を供給する。
【実施例２】
【００４０】
図７に本発明の他の実施の形態に係る２段栽培槽の構成、位置関係を示す横断面図の一部拡大図、図８は本発明の他の実施の形態に係る上下交替可能な２段栽培槽の構成、位置関係を示す一部拡大図を示す。図１は各栽培槽列には一段の栽培槽のみ吊り下げられているが、図７、８においてはそれぞれ２段の栽培槽が吊り下げられている。吊下げ索５のお互いの栽培槽の質量がほぼ同じであれば一段栽培槽と２段栽培槽の混在とすることも出来る。この複数段配置の場合、下の段への日照、電照割合が少なくなるために、駆動軸７を操作して隣り合う栽培槽列を定期的に上下位置を替える操作により受光時間の平均化が出来る。
【００４１】
２段とした場合、隣り合う栽培槽の上下位置を入れ替えても、各列の上下の各栽培槽の受光時間には差が生じる。図８は全ての栽培槽の受光時間を均等化させるために、駆動軸７を７aと７bの２本とし、上下の栽培槽４a１と４a２にはスペーサー２５を設けて、駆動軸７aと７bを同じ方向に回転すれば栽培槽４a１、４a２と栽培槽４b１、４b２との高さを交替させ、駆動軸７aと７bをお互いに逆方向に回転すれば、栽培槽４a１と４a２、栽培槽４b１と４b２の高さを交替させる事が出来る。この栽培槽４a１と４a２の交替の時、スペーサー２５は栽培槽４a１と栽培槽４a２の間の距離を保つので交替時のお互いの干渉を防ぐ事が出来る。尚、図８は栽培槽４の列数を駆動軸７の左右に各８列を配置した例を示している。
【図面の簡単な説明】
【００４２】
【図１】本発明の実施例の形態に係る温室の横断面図である。
【図２】本発明の実施例の形態に係る温室の縦断面図である。
【図３】本発明の実施例の形態に係る作業時の栽培槽の位置関係を示す拡大図である。
【図４】本発明の実施例の形態に係る索の軸への巻きつけ例を示す正面図及び側面図である。
【図５】本発明の実施例の形態に係る配管系統をしめす概略系統図である。
【図６】本発明の実施例の形態に係る栽培槽内の配管例を示す拡大図である。
【図７】本発明の実施例２の形態に係る温室の横断面図である。
【図８】本発明の実施例２の形態に係る温室の横断面図である。
【図９】公知の高設栽培装置の一例の温室横断面を示す。
【図１０】公知の高設栽培装置の他の一例の温室横断面を示す。
【符号の説明】
【００４３】
１    温室屋根
２    温室柱
３    温室梁
４    栽培槽
５    吊り下げ索
６    荷重支持金具
７    駆動軸
８    軸サポート
９    スプロケット
１０    チェーン
１１    多孔管
１２    無孔管
１３    給水タンク
１４    配管
１５    給水ポンプ
１６    温湯ヒーター
１７    肥料吸引装置
１８    肥料液調整タンク
１９    弁
２０    ファン
２１    フレキシブル管
２２    戻り配管
２３    継ぎ手
２４    温室
２５    スペーサー
【図１】
0003661152.tif 000002
【図２】
0003661152.tif 000003
【図４】
0003661152.tif 000004
【図５】
0003661152.tif 000005
【図６】
0003661152.tif 000006
【図９】
0003661152.tif 000007
【図１０】
0003661152.tif 000008
【図３】
0003661152.tif 000009
【図７】
0003661152.tif 000010
【図８】
0003661152.tif 000011